(57)【要約】      （修正有）【課題】枠ユニットに貼り付けられる出所表示シールが剥がされたり、貼り替えられることを効果的に防止し、信頼性の高い出所表示機能を持続させるパチンコ遊技機を提供する。【解決手段】ゲーム仕様に応じて、固有の動作を行う遊技盤ユニットと、ゲーム仕様に拘わらず、共通の動作を行う枠ユニットとを備えると共に、遊技盤ユニット及び枠ユニットに、それぞれ出所表示シールＢ等が貼り付けられるパチンコ遊技機１であって、枠ユニットは、発射ハンドル８の操作に応じて発射モータを駆動制御し、遊技球を発射させる発射制御基板を備え、該発射制御基板に接続される発射系入出力機器のうち、少なくとも一つを中継基板を介して発射制御基板に接続すると共に、該中継基板を、封印構造を備える透明な中継基板ケースに収容し、さらに、該中継基板ケース内に枠ユニット用の出所表示シールＢを貼り付ける。【選択図】図１
0003151317.tif 000002
【実用新案登録請求の範囲】
【請求項１】
ゲーム仕様に応じて、固有の動作を行う遊技盤ユニットと、ゲーム仕様に拘わらず、共通の動作を行う枠ユニットとを備えると共に、遊技盤ユニット及び枠ユニットに、それぞれ出所表示機能を有する出所表示シールが貼り付けられるパチンコ遊技機であって、
前記枠ユニットは、発射ハンドルの操作に応じて発射モータを駆動制御し、遊技球を発射させる発射制御基板を備え、該発射制御基板に接続される発射系入出力機器のうち、少なくとも一つを中継基板を介して発射制御基板に接続すると共に、該中継基板を、封印構造を備える透明な中継基板ケースに収容し、さらに、該中継基板ケース内に枠ユニット用の出所表示シールを貼り付けたことを特徴とするパチンコ遊技機。
【請求項２】
前記発射系入出力機器には、前記発射モータと、発射ハンドルに設けられるタッチセンサ及び発射スイッチが含まれることを特徴とする請求項１記載のパチンコ遊技機。
【請求項３】
前記枠ユニット用の出所表示シールは、遊技機正面に形成される窓を介して目視可能であることを特徴とする請求項１又は２記載のパチンコ遊技機。
【請求項４】
前記中継基板に接続される少なくとも一つのコネクタは、中継基板ケースを開封しない限り取り外せないことを特徴とする請求項１〜３のいずれかに記載のパチンコ遊技機。
【考案の詳細な説明】
【技術分野】
【０００１】
本考案は、遊技盤ユニット及び枠ユニットに、それぞれ出所表示機能を有する出所表示シールが貼り付けられるパチンコ遊技機に関する。
【背景技術】
【０００２】
パチンコ遊技機は、ゲーム仕様に応じて、固有の動作を行う遊技盤ユニットと、ゲーム仕様に拘わらず、共通の動作を行う枠ユニットとから構成されており、新台の入替えに際しては、遊技盤ユニットのみを交換し、枠ユニットは継続的に使用できるようになっている。また、この種のパチンコ遊技機では、遊技盤ユニット及び枠ユニットに、それぞれ出所表示機能を有する出所表示シールが貼り付けられている。この出所表示シールは、パチンコ遊技機のメーカー名などを明示するためのものであり、従来のパチンコ遊技機では、遊技盤ユニット及び枠ユニットの所定部位に、それぞれ出所表示シールを単に貼り付けるだけの構造となっている。
【先行技術文献】
【特許文献】
【０００３】
【特許文献１】特開２００５−４０３５０号公報
【考案の概要】
【考案が解決しようとする課題】
【０００４】
しかしながら、前記出所表示シールは、パチンコ遊技機の偽造、改造などの不正行為に対し、抑止効果を発揮しうるものであるため、容易に剥がしたり、貼り替えられず、信頼性の高い出所表示機能を持続させることができる構造が求められている。
【０００５】
そこで、本考案は、枠ユニットに貼り付けられる出所表示シールが剥がされたり、貼り替えられることを効果的に防止し、信頼性の高い出所表示機能を持続させることができるパチンコ遊技機の提供を目的とする。
【課題を解決するための手段】
【０００６】
本考案は、上記の如き実情に鑑みこれらの課題を解決することを目的として創作されたものであって、ゲーム仕様に応じて、固有の動作を行う遊技盤ユニットと、ゲーム仕様に拘わらず、共通の動作を行う枠ユニットとを備えると共に、遊技盤ユニット及び枠ユニットに、それぞれ出所表示機能を有する出所表示シールが貼り付けられるパチンコ遊技機であって、前記枠ユニットは、発射ハンドルの操作に応じて発射モータを駆動制御し、遊技球を発射させる発射制御基板を備え、該発射制御基板に接続される発射系入出力機器のうち、少なくとも一つを中継基板を介して発射制御基板に接続すると共に、該中継基板を、封印構造を備える透明な中継基板ケースに収容し、さらに、該中継基板ケース内に枠ユニット用の出所表示シールを貼り付けたことを特徴とする。
また、前記発射系入出力機器には、前記発射モータと、発射ハンドルに設けられるタッチセンサ及び発射スイッチが含まれることを特徴とする。
また、前記枠ユニット用の出所表示シールは、遊技機正面に形成される窓を介して目視可能であることを特徴とする。
また、前記中継基板に接続される少なくとも一つのコネクタは、中継基板ケースを開封しない限り取り外せないことを特徴とする。
【考案の効果】
【０００７】
請求項１の考案によれば、枠ユニットに貼り付けられる出所表示シールが剥がされたり、貼り替えられることを効果的に防止し、信頼性の高い出所表示機能を持続させることができる。つまり、枠ユニット用の出所表示シールは、封印構造を備える透明な中継基板ケース内に貼り付けられるので、中継基板ケースの封印を開封しない限り、剥がしたり、貼り替えたりすることができず、仮に剥がされたり、貼り替えられたとしても、中継基板ケースに開封の痕跡が残るので、出所表示シールが信頼に値しないものであると容易に理解することができる。また、単なる封印ケースではなく、中継基板を収容する中継基板ケース内に出所表示シールを貼り付けたので、中継基板ケース全体を強引に取り外すような行為が行われた場合に、発射系の断線によりパチンコ遊技機を発射不能状態とすることができる。
また、請求項２の考案によれば、発射モータ、タッチセンサ、発射スイッチのいずれかを中継基板を介して発射制御基板に接続することにより、本考案の実施が可能となる。
また、請求項３の考案によれば、遊技機正面に形成される窓を介して出所表示シールを目視できるので、出所表示シールの有無や、出所表示シールの表示内容を容易に確認することができる。
また、請求項４の考案によれば、中継基板に接続されるコネクタを外し、中継基板ケース全体を取り外したり、交換するといった行為を効果的に防止することができる。
【図面の簡単な説明】
【０００８】
【図１】パチンコ遊技機の正面図である。
【図２】パチンコ遊技機の背面図である。
【図３】遊技盤の正面図である。
【図４】パチンコ遊技機における遊技モードの遷移を示すフローチャートである。
【図５】パチンコ遊技機の基板構成を示すブロック図である。
【図６】（Ａ）は従来例に係る発射系の配線例を示すブロック図、（Ｂ）〜（Ｅ）は本考案の実施形態に係る発射系の配線例を示すブロック図である。
【図７】図１のＹ−Ｙ断面図である。
【図８】中継基板ケースの分解斜視図である。
【図９】第一ケースの平面図である。
【図１０】第二ケースの平面図である。
【図１１】（Ａ）はコネクタカバーの平面図、（Ｂ）は正面図、（Ｃ）は側面図である。
【図１２】（Ａ）はコネクタカバーの固定状態を示す基板ケースの要部平面図、（Ｂ）はＸ−Ｘ断面図である。
【考案を実施するための形態】
【０００９】
［パチンコ遊技機の全体構成］
以下、本考案の実施の形態について、図面に基づいて説明する。図１及び図２において、１はパチンコ遊技機であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【００１０】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【００１１】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【００１２】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球がゲート（図示せず）を通過したときは、普通図柄表示装置２０において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。
以下、大当りの開始、終了などを契機として切換えられるパチンコ遊技機１の各種遊技モードについて、図４を参照して説明する。
【００１３】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた当り配列で停止したときに実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常当りと、大入賞口１５の開放動作後、特別図柄抽選の当選確率を高確率にする確変当りとがある。例えば、大当り時の停止図柄が特定の確変図柄であったとき、確変当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、通常当りの大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１４】
［パチンコ遊技機の基板構成］
次に、パチンコ遊技機１の基板構成について、図５を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板２３、払出制御基板２４及び発射制御基板２５を含み、周辺基板２２は、演出図柄表示制御基板２６、音声制御基板２７及びランプ制御基板２８を含んでいる。
【００１５】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１６】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理（演出図柄抽選を含む）、特別図柄表示処理、コマンド送信処理、大入賞口開閉処理などを行う。
【００１７】
演出図柄表示制御基板２６には、演出図柄表示装置１９や操作スイッチＳが接続されており、主制御基板２３からのコマンドに応じて、演出図柄表示装置１９に演出図柄を変動表示させると共に、操作スイッチＳの操作に応じたスイッチ演出表示を行う。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１８】
［本考案の実施形態に係るパチンコ遊技機の特徴的な構成］
パチンコ遊技機１は、ゲーム仕様に応じて、固有の動作を行う遊技盤ユニット（遊技盤４、主制御基板２３、演出図柄表示制御基板２６などを含む。）と、ゲーム仕様に拘わらず、共通の動作を行う枠ユニット（ガラス枠５、上皿６、下皿７、発射ハンドル８、貸出操作部９、スピーカ１０、操作スイッチＳ、遊技球タンク１１、賞球払出装置１２、発射モータ１３、払出制御基板２４、発射制御基板２５などを含む。）とから構成されている。言い換えれば、パチンコ遊技機１は、遊技盤ユニットと枠ユニットに分離可能であり、新台の入替えに際しては、遊技盤ユニットのみを交換し、枠ユニットは継続的に使用できるようになっている。この種のパチンコ遊技機１では、遊技盤ユニット及び枠ユニットに、それぞれ出所表示機能を有する出所表示シールＡ、Ｂが貼り付けられている。この出所表示シールＡ、Ｂは、パチンコ遊技機１のメーカー名などを明示するためのものであり、パチンコ遊技機１の偽造、改造などの不正行為に対し、抑止効果を発揮しうるものであるため、容易に剥がしたり、貼り替えられず、信頼性の高い出所表示機能を持続させることができる構造が求められている。
【００１９】
そこで、本考案の実施形態に係るパチンコ遊技機１は、図６の（Ｂ）〜（Ｅ）及び図７に示すように、発射制御基板２５に接続される発射系入出力機器のうち、少なくとも一つを中継基板３４を介して発射制御基板２５に接続すると共に、該中継基板３４を、封印構造（封印部Ｆ）を備える透明な中継基板ケース３５に収容し、さらに、該中継基板ケース３５内に枠ユニット用の出所表示シールＢを貼り付けた構成としてある。このようにすると、枠ユニットに貼り付けられる出所表示シールＢが剥がされたり、貼り替えられることを効果的に防止し、信頼性の高い出所表示機能を持続させることができる。
【００２０】
つまり、枠ユニット用の出所表示シールＢは、封印構造を備える透明な中継基板ケース３５内に貼り付けられるので、中継基板ケース３５の封印を開封しない限り、剥がしたり、貼り替えたりすることができず、仮に剥がされたり、貼り替えられたとしても、中継基板ケース３５に開封の痕跡が残るので、出所表示シールＢが信頼に値しないものであると容易に理解することができる。また、単なる封印ケースではなく、中継基板３４を収容する中継基板ケース３５内に出所表示シールＢを貼り付けたので、中継基板ケース３５全体を強引に取り外すような行為が行われた場合に、発射系の断線によりパチンコ遊技機１を発射不能状態とすることができる。
【００２１】
また、発射系入出力機器には、発射モータ１３と、発射ハンドル８に設けられるタッチセンサ３３及び発射スイッチ３２が含まれており、発射モータ１３、タッチセンサ３３、発射スイッチ３２のいずれかを中継基板３４を介して発射制御基板２５に接続することにより、本考案の実施が可能となる。例えば、図６の（Ｂ）に示すように、タッチセンサ３３を中継基板３４を介して発射制御基板２５に接続したり、図６の（Ｃ）に示すように、発射スイッチ３２を中継基板３４を介して発射制御基板２５に接続したり、図６の（Ｄ）に示すように、発射モータ１３を中継基板３４を介して発射制御基板２５に接続したり、図６の（Ｅ）に示すように、全ての発射系入出力機器（発射モータ１３、タッチセンサ３３及び発射スイッチ３２）を中継基板３４を介して発射制御基板２５に接続することができる。
【００２２】
また、枠ユニット用の出所表示シールＢは、遊技機正面に形成される窓を介して目視可能とすることが好ましい。例えば、図１及び図７に示すように、遊技機正面の下端部に設けられる下板２ａに窓孔２ｂを形成すると共に、下板２ａの裏側に中継基板ケース３５を取り付け、該中継基板ケース３５の内側に貼り付けた出所表示シールＢを、窓孔２ｂを介して遊技機正面側から目視可能とする。このようにすると、遊技機正面側から出所表示シールＢの有無や、出所表示シールＢの表示内容を容易に確認することができる。
【００２３】
また、中継基板３４に接続される少なくとも一つのコネクタ３８は、中継基板ケース３５を開封しない限り取り外せないようにすることが好ましい。このようにすると、中継基板３４に接続されるコネクタ３８を外し、中継基板ケース３５全体を取り外したり、交換するといった行為を効果的に防止することができる。以下、このような機能を実現する具体的な中継基板ケース構造及びコネクタカバー構造について、図８〜図１２を参照して説明する。
【００２４】
［中継基板ケース及びコネクタカバー］
図８〜図１２に示すように、中継基板ケース３５は、中継基板３４を内部に収容し、中継基板３４上の端子３６を外部に露出させた状態で封印部Ｆにより封がされるように構成されており、外部に露出した端子３６は、ケーブル３７を介して、発射系入出力機器や発射制御基板２５に電気的に接続される。なお、本実施形態の端子３６はベース付ポストに取り付けられている。ケーブル３７の少なくとも一端側には、前記端子３６と電気的に接続されるコンタクトをコネクタハウジングによって収容したコネクタ３８を有している。そして、前述した他の制御基板、センサ、アクチュエータ、表示デバイスなどは、このコネクタ３８を介して中継基板３４の端子３６に着脱自在に接続される。
【００２５】
このように構成されるパチンコ遊技機１では、封印部Ｆが開封操作され、中継基板ケース３５の封が切られると、封印部Ｆに開封の痕跡が残るようになっている。この痕跡は、中継基板ケース３５が開封されたことをパチンコ遊技機１の管理者に伝達する機能を有しており、不正行為の早期発見を可能としている。つまり、封印部Ｆにより、中継基板３４に対する不正行為をある程度防ぐことが可能である。しかしながら、真正基板ケースを取り外し、不正基板ケースに交換するという不正行為が行われると、封印部Ｆが無意味なものとなってしまう可能性がある。このような不正行為に対しては、中継基板３４に接続された少なくとも一つのコネクタ３８を容易に取り外すことができない構造が有効である。つまり、真正基板ケースの取り外しに際しては、中継基板３４の端子３６に接続されたコネクタ３８の取り外し作業が必要であり、この作業が上記の構造により非容易となるからである。
【００２６】
コネクタカバー３９は、中継基板３４の端子３６に接続されたコネクタ３８を被覆するように形成されると共に、コネクタ３８を被覆した状態で中継基板ケース３５及び中継基板３４に固定されることにより、コネクタ３８の取り外しを非容易にしている。そして、本実施形態においては、コネクタカバー３９を中継基板ケース３５及び中継基板３４に固定するにあたり、その固定解除操作を中継基板ケース３５の封を切った後に許容する。
【００２７】
また、コネクタカバー３９は、中継基板３４を中継基板ケース３５に固定するための基板固定ネジ４０を用いて、中継基板ケース３５及び中継基板３４に対して固定することが好ましい。このようにすると、コネクタ３８の取り外しを非容易にするものでありながら、パチンコ遊技機本体から適正に中継基板３４のみを取り外す場合においては、中継基板ケース３５を開放した後、基板固定ネジ４０を外した段階で、コネクタカバー３９の固定が解除されることになるので、適正なメンテナンス行為における作業工数の増加を回避できる。
【００２８】
また、コネクタカバー３９は、基板固定ネジ４０による固定だけでなく、中継基板ケース３５を閉塞状態に保持するためのケース閉塞ネジ４１を用いて、中継基板ケース３５及び中継基板３４に固定することが好ましい。このようにすると、コネクタカバー３９の固定解除に際し、基板固定ネジ４０だけでなく、ケース閉塞ネジ４１の取り外しも必要になるので、中継基板ケース３５の開放を伴わない不正行為において、コネクタ３８の取り外しをより困難なものとできる。
【００２９】
また、コネクタカバー３９は、その一端側を、中継基板ケース３５の位置決め部（位置決め孔４２ｄ）によって係合保持し、他端側を、基板固定ネジ４０やケース閉塞ネジ４１によって中継基板ケース３５及び中継基板３４に対して固定することが好ましい。このようにすると、コネクタカバー３９の一端側を位置決め状に係合保持することにより、他端側に対する基板固定ネジ４０やケース閉塞ネジ４１の螺入が容易になるだけでなく、ネジ止め箇所を減らし、メンテナンスにおける作業工数の増加を回避できる。
【００３０】
次に、中継基板３４、中継基板ケース３５及びコネクタカバー３９の具体的な構成について説明する。本実施形態の中継基板３４は、長方形の基板からなり、その一方の面には、ＣＰＵ、ＲＯＭ、ＲＡＭなどの電子部品（図示せず）や複数の端子３６が実装され、他方の面には、一方の面に実装された電子部品や端子３６を電気的に接続するプリント配線（図示せず）が施されている。また、中継基板３４の角部には、基板固定ネジ４０やケース閉塞ネジ４１が挿入される貫通孔３４ａ、３４ｂが形成されている。
【００３１】
本実施形態の中継基板ケース３５は、中継基板３４の一方の面を被覆する第一ケース４２と、中継基板３４の他方の面を被覆する第二ケース４３とを備えて構成されている。
第一ケース４２は、透明な樹脂で一体成形されており、端子孔４２ａ、貫通孔４２ｂ、貫通孔４２ｃ、位置決め孔４２ｄ、係合リング部４２ｅ、ヒンジピン係合部４２ｆ、本体固定部４２ｇなどを備えている。
端子孔４２ａは、中継基板３４上に設けられる端子３６を外部に露出させる孔であり、中継基板３４上に設けられる端子３６の個数に合わせて複数形成されている。
貫通孔４２ｂは、基板固定ネジ４０が挿入又は螺入される孔であり、そのうちの一つは、コネクタカバー３９の他端側固定位置に対応するように形成されている。
貫通孔４２ｃは、ケース閉塞ネジ４１が挿入又は螺入される孔であり、そのうちの一つは、コネクタカバー３９の他端側固定位置に対応するように形成されている。
位置決め孔４２ｄは、コネクタカバー３９の一端側固定位置に対応するように形成される孔であり、コネクタカバー３９の一端側を係合保持するようになっている。
係合リング部４２ｅは、封印部Ｆを構成するためのものであり、封印部Ｆの封印可能回数に応じて複数形成されている。
ヒンジピン係合部４２ｆは、中継基板ケース３５を開閉する際に、第二ケース４３の回動支点となる部分である。
本体固定部４２ｇは、取り付けピン４４を介してパチンコ遊技機本体（下板２ａ）に固定される部分である。
【００３２】
第二ケース４３も、透明な樹脂で一体成形されており、貫通孔４３ａ、ボス部４３ｂ、ヒンジピン４３ｃ、本体係合部４３ｄなどを備えると共に、枠ユニット用の出所表示シールＢが貼り付けられるようになっている。
貫通孔４３ａは、ケース閉塞ネジ４１が挿入又は螺入される孔であり、第一ケース４２に形成される貫通孔４２ｃの位置と対応している。
ボス部４３ｂは、封印部Ｆを構成するためのものであり、第一ケース４２に形成される係合リング部４２ｅの位置と対応するように複数形成されている。
ヒンジピン４３ｃは、第一ケース４２のヒンジピン係合部４２ｅに係合され、中継基板ケース３５を開閉する際に、第二ケース４３の回動支点となる部分である。
本体係合部４３ｄは、パチンコ遊技機本体に係合保持される部分である。
【００３３】
本実施形態のコネクタカバー３９は、被覆部３９ａ、ケーブル挿通孔３９ｂ、係合凸部３９ｃ、第一ボス部３９ｄ、第二ボス部３９ｅなどを備えている。
被覆部３９ａは、コネクタ３８を被覆する部分であり、コネクタカバー３９を中継基板ケース３５に固定したとき、コネクタ３８の取り外しが規制されるように形成される。
ケーブル挿通孔３９ｂは、被覆部３９ａ内からケーブル３７を引き出すための孔である。このケーブル挿通孔３９ｂの大きさは、ケーブル３７が引き出せるがコネクタ３８は引き出せない大きさとなっている。このケーブル孔３９ｂに対するケーブル３７の挿通操作は、例えば、コネクタカバー３９が多少の弾性変形が許容される材質で形成されている場合、被覆部３９ａの一部に切り込み３９ｆを形成しておけば、切り込み部３９ｆを広げることにより容易に行うことができる。なお、弾性変形の許容される範囲は、ケーブル３７の挿入は容易であるが、コネクタ３８の引き出しが不可能な範囲である。
係合凸部３９ｃは、第一ケース４２に形成される位置決め孔４２ｄに係合される部分であり、この係合により、コネクタカバー３９の一端側が第一ケース４２に係合保持される。
第一ボス部３９ｄは、基板固定ネジ４０が螺入される部分であり、コネクタカバー３９の他端側に形成されている。
第二ボス部３９ｅは、ケース閉塞ネジ４１が螺入される部分であり、コネクタカバー３９の他端側に第一ボス部３９ｄと並列するように形成されている。
【００３４】
［中継基板の組み込み手順］
次に、中継基板ケース３５に対する中継基板３４の組み込み手順について説明する。
まず、中継基板３４を第一ケース４２に収め、基板固定ネジ４０（コネクタカバー３９の固定に兼用される基板固定ネジ４０を除く）を用いて固定する。
次に、第一ケース４２の端子孔４２ａから外部に露出した特定の端子３６にコネクタ３８を接続すると共に、このコネクタ３８をコネクタカバー３９で被覆する。
そして、コネクタカバー３９の係合凸部３９ｃを、第一ケース４２に形成される位置決め孔４２ｄに係合すると、コネクタカバー３９の一端側が第一ケース４２で係合保持される。
次に、コネクタカバー３９の固定に兼用される基板固定ネジ４０を、第一ケース４２の内側から中継基板３４及び第一ケース４２の貫通孔３４ａ、４２ｂを介して、コネクタカバー３９の第一ボス部３９ｄに螺込む。これにより、コネクタカバー３９の他端側が第一ケース４２及び中継基板３４に対して固定される。
【００３５】
次に、第一ケース４２のヒンジピン係合部４２ｆに第二ケース４３のヒンジピン４３ｃを係合させ、ここを回動支点として第二ケース４３を閉塞操作する。これにより、第一ケース４２の内側に配置される基板固定ネジ４０のネジ頭４０ａは、第二ケース４３によって中継基板ケース３５内に被覆され、コネクタカバー３９の固定解除操作が困難になる。
次に、ケース閉塞ネジ４１を第二ケース４３側から第二ケース４３及び中継基板３４の貫通孔４３ａ、３４ｂを介して、第一ケース４２の貫通孔４２ｃに螺込む。これにより、第一ケース４２と第二ケース４３が一体的に固定され、中継基板ケース３５が閉塞状態に保持される。
また、特定のケース閉塞ネジ４１は、第二ケース４３、中継基板３４及び第一ケース４２の貫通孔４３ａ、３４ｂ、４２ｃを介して、コネクタカバー３９の第二ボス部３９ｅに螺込まれる。これにより、コネクタカバー３９の他端側は、基板固定ネジ４０だけでなく、ケース閉塞ネジ４１を介して中継基板ケース３５及び中継基板３４に対して固定される。
【００３６】
次に、封印部Ｆにて封印を行う。この封印は、第一ケース４２の係合リング部４２ｅを介して、第二ケース４３のボス部４３ｂに封印ネジ４５を螺込むことにより行われる。この封印ネジ４５は、螺込み方向への回し操作のみが許容される特殊ネジであり、封印後は、係合リング部４２ｅの基端部を切断しない限り、中継基板ケース３５の開放が困難になる。つまり、封印部Ｆの開封は、基端部の切断という痕跡が残るようになっている。
そして、封印された中継基板ケース３５は、本体固定部４２ｇ及び本体係合部４３ｄを介してパチンコ遊技機本体に取り付けられる。
尚、ケーブル３７の他端側に設けられるコネクタ３８おいても、その取り外しを非容易とすることが好ましい。例えば、他端側のコネクタ３８を遊技機本体の奥まった位置に配置する構造、他端側のコネクタ３８の取り外しを施錠器具を用いて規制する構造、工具を使用しないと他端側のコネクタ３８の取り外せない構造などを適用する。
【００３７】
叙述の如く構成された本実施形態によれば、ゲーム仕様に応じて、固有の動作を行う遊技盤ユニットと、ゲーム仕様に拘わらず、共通の動作を行う枠ユニットとを備えると共に、遊技盤ユニット及び枠ユニットに、それぞれ出所表示機能を有する出所表示シールＡ、Ｂが貼り付けられるパチンコ遊技機１であって、枠ユニットは、発射ハンドル８の操作に応じて発射モータ１３を駆動制御し、遊技球を発射させる発射制御基板２５を備え、該発射制御基板２５に接続される発射系入出力機器のうち、少なくとも一つを中継基板３４を介して発射制御基板２５に接続すると共に、該中継基板３４を、封印構造を備える透明な中継基板ケース３５に収容し、さらに、該中継基板ケース３５内に枠ユニット用の出所表示シールＢを貼り付けたので、枠ユニットに貼り付けられる出所表示シールＢが剥がされたり、貼り替えられることを効果的に防止し、信頼性の高い出所表示機能を持続させることができる。
【００３８】
つまり、枠ユニット用の出所表示シールＢは、封印構造を備える透明な中継基板ケース３５内に貼り付けられるので、中継基板ケース３５の封印を開封しない限り、剥がしたり、貼り替えたりすることができず、仮に剥がされたり、貼り替えられたとしても、中継基板ケース３５に開封の痕跡が残るので、出所表示シールＢが信頼に値しないものであると容易に理解することができる。また、単なる封印ケースではなく、中継基板３４を収容する中継基板ケース３５内に出所表示シールＢを貼り付けたので、中継基板ケース３５全体を強引に取り外すような行為が行われた場合に、発射系の断線によりパチンコ遊技機１を発射不能状態とすることができる。
【００３９】
また、発射系入出力機器には、発射モータ１３と、発射ハンドル８に設けられるタッチセンサ３３及び発射スイッチ３２が含まれるので、発射モータ１３、タッチセンサ３３、発射スイッチ３２のいずれかを中継基板３４を介して発射制御基板２５に接続することにより、本考案の実施が可能となる。
【００４０】
また、枠ユニット用の出所表示シールＢは、遊技機正面に形成される窓を介して目視可能であるため、出所表示シールＢの有無や、出所表示シールＢの表示内容を容易に確認することができる。
【００４１】
また、中継基板３４に接続される少なくとも一つのコネクタ３８は、中継基板ケース３５を開封しない限り取り外せないので、中継基板３４に接続されるコネクタ３８を外し、中継基板ケース３５全体を取り外したり、交換するといった行為を効果的に防止することができる。
【符号の説明】
【００４２】
１    パチンコ遊技機
２ｂ  窓孔
４    遊技盤
８    発射ハンドル
１３  発射モータ
２５  発射制御基板
３２  発射スイッチ
３３  タッチセンサ
３４  中継基板
３５  中継基板ケース
３８  コネクタ
３９  コネクタカバー
Ａ    出所表示シール
Ｂ    出所表示シール
Ｆ    封印部
【図１】
0003151317.tif 000003
【図２】
0003151317.tif 000004
【図３】
0003151317.tif 000005
【図４】
0003151317.tif 000006
【図５】
0003151317.tif 000007
【図６】
0003151317.tif 000008
【図７】
0003151317.tif 000009
【図８】
0003151317.tif 000010
【図９】
0003151317.tif 000011
【図１０】
0003151317.tif 000012
【図１１】
0003151317.tif 000013
【図１２】
0003151317.tif 000014